【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
バッグにおいて、
第１と第２の壁部と、当該バッグの一側部に配設され前記第１と第２の壁部を連結する第１の襠部と、当該バッグの反対側の側部に配設され前記第１と第２の壁部を連結する第２の襠部と、
少なくとも主要部分が前記第１の壁部に接合された第１のファスナー部材と、前記第２の壁部に接合された第２のファスナー部材とを具備する柔軟なファスナーであって、前記第１のファスナー部材が第１の輪郭部分を具備し、前記第２のファスナー部材が前記第１の輪郭部分に噛合して該ファスナーを閉じる第２の輪郭部分を具備して成るファスナーと、
前記ファスナーに取付けられたスライダであって、該スライダが前記ファスナーに沿って第１の方向に移動する間前記ファスナーを閉じ、前記ファスナーに沿って前記第１の方向の反対の第２の方向に移動する間前記ファスナーを開くように形成されたスライダとを具備し、
前記ファスナーが閉じている間、前記第１と第２の襠部が前記第１と第２の輪郭部分の間に挟まれないようにしたバッグ。
【請求項２】
前記第１のファスナー部材が、前記第１の壁部の対面する部分の幅よりも長くなっており、前記第１の壁部の側縁部を越えて延設されている請求項１に記載のバッグ。
【請求項３】
前記第２のファスナー部材が前記第１のファスナー部材と同じ長さ有し、前記第２の壁部の側縁部を越えて延設されている請求項２に記載のバッグ。
【請求項４】
前記第１のファスナー部材が前記第１の壁部の外表面に接合され、前記第２のファスナー部材が前記第２の壁部の外表面に接合されている請求項３に記載のバッグ。
【請求項５】
前記第１のファスナー部材が前記第１の壁部の内表面に接合され、前記第２のファスナー部材が前記第２の壁部の内表面に接合されている請求項３に記載のバッグ。
【請求項６】
前記第１と第２のファスナー部材の各々の第１の端部が互いに接合され、かつ、前記第１と第２のファスナー部材の各々の第２の端部が互いに接合されていない請求項３に記載のバッグ。
【請求項７】
前記第１と第２のファスナー部材の各々の第１の端部が互いに永久的に接合され、かつ、前記第１と第２のファスナー部材の各々の第２の端部が互いに剥離可能なシールにより取着されている請求項３に記載のバッグ。
【請求項８】
前記第１のファスナー部材の前記第１の端部に第１のエンドストップが配設されており、前記スライダが前記第１のファスナー部材の前記第１の端部から脱離することを防止するように形成されている請求項６に記載のバッグ。
【請求項９】
前記第１と第２のファスナー部材の接合された第２の端部により形成された端部に第２のエンドストップが設けられており、前記第２のエンドストップは、前記スライダが前記第１と第２のファスナー部材の接合された前記第２の端部から脱離することを防止するように形成されている請求項８に記載のバッグ。
【請求項１０】
前記ファスナーの下側のある高さ位置において当該バッグをシールする剥離可能なシール手段が設けられている請求項１に記載のバッグ。
【請求項１１】
前記第１のファスナー部材が、一方の端部で前記第１の輪郭部分に連結された第１のフランジ部を具備し、前記第２のファスナー部材が、一方の端部で前記第２の輪郭部分に連結された第２のフランジ部を更に具備し、当該バッグは、前記第１の襠部と前記第１の壁部の隣接部分を分断する第１のスリットと、前記第１の襠部と前記第２の壁部の隣接部分を分断する第２のスリットと、前記第２の襠部と前記第１の壁部の隣接部分を分断する第３のスリットと、前記第２の襠部と前記第２の壁部の隣接部分を分断する第４のスリットとを更に具備し、前記第１のフランジ部は前記第１と第３のスリットに挿通され、前記第２のフランジ部は前記第２と第４のスリットに挿通され、前記第１の襠部と前記第１の壁部の隣接部分が前記第１のフランジ部に接合され、前記第１の襠部と前記第２の壁部の隣接部分が前記第２のフランジ部に接合され、前記第２の襠部と前記第１の壁部の隣接部分が前記第１のフランジ部に接合され、前記第２の襠部と前記第２の壁部の隣接部分が前記第２のフランジ部に接合されている請求項１に記載のバッグ。
【請求項１２】
バッグにおいて、
第１と第２の壁部と、当該バッグの一側部に配設され前記第１と第２の壁部を連結する第１の襠部と、当該バッグの反対側の側部に配設され前記第１と第２の壁部を連結する第２の襠部と、
少なくとも主要部分が前記第１の壁部に接合された第１のファスナー部材と、前記第２の壁部に接合された第２のファスナー部材とを具備する柔軟なファスナーであって、前記第１のファスナー部材が第１の輪郭部分を具備し、前記第２のファスナー部材が前記第１の輪郭部分に噛合して該ファスナーを閉じる第２の輪郭部分を具備して成るファスナーと、
前記ファスナーに取付けられたスライダであって、該スライダが前記ファスナーに沿って第１の方向に移動する間前記ファスナーを閉じ、前記ファスナーに沿って前記第１の方向の反対の第２の方向に移動する間前記ファスナーを開くように形成されたスライダとを具備し、
前記第１のファスナー部材の第１の端部が前記第２のファスナー部材の第１の端部に接合され、前記第１のファスナー部材が、前記第１の壁部の対面する部分の幅よりも長くなっており、前記第１の壁部の側縁部を越えて延設されており、前記第２のファスナー部材が、前記第２の壁部の対面する部分の幅よりも長くなっており、前記第２の壁部の側縁部を越えて延設されているバッグ。
【請求項１３】
前記第１のファスナー部材が前記第１の壁部の外表面に接合され、前記第２のファスナー部材が前記第２の壁部の外表面に接合されている請求項１２に記載のバッグ。
【請求項１４】
前記第１のファスナー部材が前記第１の壁部の内表面に接合され、前記第２のファスナー部材が前記第２の壁部の内表面に接合されている請求項１２に記載のバッグ。
【請求項１５】
前記第１と第２のファスナー部材の各々の第１の端部が互いに接合され、かつ、前記第１と第２のファスナー部材の各々の第２の端部が互いに接合されていない請求項１２に記載のバッグ。
【請求項１６】
前記第１と第２のファスナー部材の各々の第１の端部が互いに永久的に接合され、かつ、前記第１と第２のファスナー部材の各々の第２の端部が互いに剥離可能なシールにより取着されている請求項１２に記載のバッグ。
【請求項１７】
前記第１のファスナー部材の前記第１の端部に第１のエンドストップが配設されており、前記スライダが前記第１のファスナー部材の前記第１の端部から脱離することを防止するように形成されている請求項１５に記載のバッグ。
【請求項１８】
前記第１と第２のファスナー部材の接合された第２の端部により形成された端部に第２のエンドストップが設けられており、前記第２のエンドストップは、前記スライダが前記第１と第２のファスナー部材の接合された前記第２の端部から脱離することを防止するように形成されている請求項１７に記載のバッグ。
【請求項１９】
前記ファスナーの下側のある高さ位置において当該バッグをシールする剥離可能なシール手段が設けられている請求項１２に記載のバッグ。
【請求項２０】
前記第１のファスナー部材が、一方の端部で前記第１の輪郭部分に連結された第１のフランジ部を具備し、前記第２のファスナー部材が、一方の端部で前記第２の輪郭部分に連結された第２のフランジ部を更に具備し、当該バッグは、前記第１の襠部と前記第１の壁部の隣接部分を分断する第１のスリットと、前記第１の襠部と前記第２の壁部の隣接部分を分断する第２のスリットと、前記第２の襠部と前記第１の壁部の隣接部分を分断する第３のスリットと、前記第２の襠部と前記第２の壁部の隣接部分を分断する第４のスリットとを更に具備し、前記第１のフランジ部は前記第１と第３のスリットに挿通され、前記第２のフランジ部は前記第２と第４のスリットに挿通され、前記第１の襠部と前記第１の壁部の隣接部分が前記第１のフランジ部に接合され、前記第１の襠部と前記第２の壁部の隣接部分が前記第２のフランジ部に接合され、前記第２の襠部と前記第１の壁部の隣接部分が前記第１のフランジ部に接合され、前記第２の襠部と前記第２の壁部の隣接部分が前記第２のフランジ部に接合されている請求項１２に記載のバッグ。
【請求項２１】
襠付きバッグにおいて、
一対の襠部により連結された前壁部および後壁部と、
第１と第２の輪郭部分をそれぞれ備えた第１と第２のファスナー部材を具備し前記前壁部の幅よりも長いファスナーとを具備し、
前記第１と第２の輪郭部分が噛合している間、前記第１と第２の襠部が前記第１と第２の輪郭部分の間に挟まれないようにした襠付きバッグ。
【請求項２２】
前記第１のファスナー部材が、一方の端部で前記第１の輪郭部分に連結された第１のフランジ部を具備し、前記第２のファスナー部材が、一方の端部で前記第２の輪郭部分に連結された第２のフランジ部を更に具備し、当該襠付きバッグは、前記第１の襠部と前記前壁部の隣接部分を分断する第１のスリットと、前記第１の襠部と前記後壁部の隣接部分を分断する第２のスリットと、前記第２の襠部と前記前壁部の隣接部分を分断する第３のスリットと、前記第２の襠部と前記後壁部の隣接部分を分断する第４のスリットとを更に具備し、前記第１のフランジ部は前記第１と第３のスリットに挿通され、前記第２のフランジ部は前記第２と第４のスリットに挿通され、前記第１の襠部と前記前壁部の隣接部分が前記第１のフランジ部に接合され、前記第１の襠部と前記後壁部の隣接部分が前記第２のフランジ部に接合され、前記第２の襠部と前記前壁部の隣接部分が前記第１のフランジ部に接合され、前記第２の襠部と前記後壁部の隣接部分が前記第２のフランジ部に接合されている請求項２１に記載の襠付きバッグ。
【請求項２３】
前記第１のファスナー部材が前記前壁部の外表面に接合され、前記第２のファスナー部材が前記後壁部の外表面に接合されている請求項２１に記載の襠付きバッグ。
【請求項２４】
前記第１のファスナー部材が前記前壁部の内表面に接合され、前記第２のファスナー部材が前記後壁部の内表面に接合されている請求項２１に記載の襠付きバッグ。
【請求項２５】
前記ファスナーの下側のある高さ位置において当該襠付きバッグをシールする剥離可能なシール手段が設けられている請求項２１に記載の襠付きバッグ。
【請求項２６】
前記ファスナーに取付けられたスライダを更に具備する請求項２１に記載の襠付きバッグ。
【請求項２７】
襠付きバッグにおいて、
第１と第２の襠部により連結された前壁部および後壁部と、前記前壁部の幅よりも長いファスナーとを具備し、
前記ファスナーは第１と第２のファスナー部材を具備しており、前記第１と第２のファスナー部材は、前記第１の襠部に近接するそれぞれの第１の端部において接合され、前記第２の襠部に近接するそれぞれの第２の端部において接合されておらず、かつ、相互に噛合可能となっており、
前記第１と第２のファスナー部材において、前記接合された第１の端部を除く部分が、前記ファスナーが閉鎖されるように噛合可能とされていると共に、前記ファスナーが開くように分離可能とされており、
前記ファスナーが開いたときに、前記第２の襠部が注ぎ口を形成することが可能となっている襠付きバッグ。
【請求項２８】
前記ファスナーに取付けられたスライダを更に具備する請求項２７に記載の襠付きバッグ。
【請求項２９】
両端で接合された等しい長さの細長い第１と第２のファスナー部材を具備し、前記第１と第２のファスナー部材は接合された両端の間に配設された主要部分に沿って噛合、分離可能に形成され、
前記接合された端部の一方が剥離可能なシール材料によってのみ接合され、
前記接合された他方の端部は永久的に接合されて成る装置。
【請求項３０】
前記第１と第２のファスナー部材に沿って移動可能に取付けられたスライダを更に具備し、
前記スライダが前記第１と第２のファスナー部材に沿って一方の方向に移動するとき前記第１と第２のファスナー部材の部分が噛合し、反対の方向に移動するとき前記第１と第２のファスナー部材の部分が分離するようになっている請求項２９に記載の装置。
【請求項３１】
前記第１と第２のファスナー部材の前記剥離可能なシール材料によって接合された端部にそれぞれ配設された第１と第２のエンドストップを更に具備する請求項３０に記載の装置。
【請求項３２】
前記第１と第２のファスナー部材の永久的に接合された端部に配設された第３のエンドストップを更に具備する請求項３１に記載の装置。
【手続補正２】
【補正対象書類名】明細書
【補正対象項目名】００１１
【補正方法】変更
【補正の内容】
【００１１】
本発明の他の特徴によれば、バッグは、第１と第２の壁部と、前記バッグの一側部に配設され前記第１と第２の壁部を連結する第１の襠部と、前記バッグの反対側の側部に配設され前記第１と第２の壁部を連結する第２の襠部と、少なくとも主要部分が前記第１の壁部に接合された第１のファスナー部材と、前記第２の壁部に接合された第２のファスナー部材とを具備する柔軟なファスナーであって、前記第１のファスナー部材が第１の輪郭部分を具備し、前記第２のファスナー部材が前記第１の輪郭部分に噛合して該ファスナーを閉じる第２の輪郭部分を具備して成るファスナーと、前記ファスナーに取付けられたスライダであって、該スライダが前記ファスナーに沿って第１の方向に移動する間前記ファスナーを閉じ、前記ファスナーに沿って前記第１の方向の反対の第２の方向に移動する間前記ファスナーを開くように形成されたスライダとを具備し、前記第１のファスナー部材の第１の端部が前記第２のファスナー部材の第１の端部に接合され、前記第１のファスナー部材が、前記第１の壁部の対面する部分の幅よりも長くなっており、前記第１の壁部の側縁部を越えて延設されており、前記第２のファスナー部材が、前記第２の壁部の対面する部分の幅よりも長くなっており、前記第２の壁部の側縁部を越えて延設されている。
【手続補正３】
【補正対象書類名】明細書
【補正対象項目名】００１２
【補正方法】変更
【補正の内容】
【００１２】
本発明の更に他の特徴によれば、襠付きバッグは、一対の襠部により連結された前壁部および後壁部と、第１と第２の輪郭部分をそれぞれ備えた第１と第２のファスナー部材を具備し前記前壁部の幅よりも長いファスナーとを具備し、前記第１と第２の輪郭部分が噛合している間、前記第１と第２の襠部が前記第１と第２の輪郭部分の間に挟まれないようになっている。
【手続補正４】
【補正対象書類名】明細書
【補正対象項目名】００１３
【補正方法】変更
【補正の内容】
【００１３】
本発明の更に他の特徴によれば、襠付きバッグは、第１と第２の襠部により連結された前壁部および後壁部と、前記前壁部の幅よりも長いファスナーとを具備し、前記ファスナーは第１と第２のファスナー部材を具備しており、前記第１と第２のファスナー部材は、前記第１の襠部に近接するそれぞれの第１の端部において接合され、前記第２の襠部に近接するそれぞれの第２の端部において接合されておらず、かつ、相互に噛合可能となっており、前記第１と第２のファスナー部材において、前記接合された第１の端部を除く部分が、前記ファスナーが閉鎖されるように噛合可能とされていると共に、前記ファスナーが開くように分離可能とされており、前記ファスナーが開いたときに、前記第２の襠部が注ぎ口を形成することが可能となっている。
【手続補正５】
【補正対象書類名】明細書
【補正対象項目名】００１４
【補正方法】変更
【補正の内容】
【００１４】
本発明の更に他の特徴によれば、両端で接合された等しい長さの細長い第１と第２のファスナー部材を具備し、前記第１と第２のファスナー部材は接合された両端の間に配設された主要部分に沿って噛合、分離可能に形成され、前記接合された端部の一方が剥離可能なシール材料によってのみ接合され、前記接合された他方の端部は永久的に接合されて成る装置が提供される。